(57)【要約】      （修正有）【課題】フィットネス機器の紐を案内するための新規な着用可能装置である足首バンドを提供する。【解決手段】足首バンドは、留め具２と、ベース要素３と、フィットネス機器の紐を案内するための案内要素４とを備える。案内要素４は、紐を介して力が加えられた場合に初期位置から作動位置に移動可能な連結を達成するためにリンク部材５によって連結される。弾性部材が、リンク部材５がその初期位置から離されたときにばね力を発生させるために設けられる。弾性部材は、加えられている力が減少した場合に案内要素４を作動位置から初期位置に戻す。初期位置は、フィットネス機器の紐を装置に取り付けるときに好適である。紐は、片手のみを使用することによって装置に連結され得る。【選択図】図１Ａ
0003203122.tif 000002
【実用新案登録請求の範囲】
【請求項１】
フィットネス機器を使用することによってフィットネス運動を行うための着用可能装置（１）、特に、ボディバンド（１）であって、
前記フィットネス機器が、当該着用可能装置によって案内される紐を含み、
当該着用可能装置（１）が、
当該着用可能装置（１）を人の身体部分に取り付けるための留め具（２）と、
前記留め具（２）の外面に連結されたベース要素（３）と、
前記フィットネス機器の前記紐を案内するための案内要素（４）と
を備え、
前記案内要素（４）が、リンク部材（５）によって前記ベース要素（３）に移動可能に連結されていることによって、前記案内要素（４）が、フィットネス運動を行うことによって前記紐を介して力が加えられたときに前記ベース要素（３）に対して初期位置から作動位置に移動可能となっている着用可能装置において、
前記リンク部材（５）が、前記力が除去されたときに前記案内要素（４）を前記作動位置から前記初期位置に戻すように構成された弾性部材（５１）を備え、該弾性部材（５１）が、該弾性部材（５１）の軸方向伸長を制限するためのストッパー（５２）を備えることを特徴とする、着用可能装置。
【請求項２】
前記リンク部材（５）および前記弾性部材（５１）が一体物品として一体化されている、請求項１に記載の着用可能装置。
【請求項３】
前記弾性部材（５１）が細長いスリーブである、請求項１または２に記載の着用可能装置。
【請求項４】
前記弾性部材（５１）が螺旋状本体を備える、請求項１〜３のいずれか一項に記載の着用可能装置。
【請求項５】
前記弾性部材（５１）がディアボロ形状の本体を備える、請求項１〜４のいずれか一項に記載の着用可能装置。
【請求項６】
当該着用可能装置（１）の前記留め具（２）が長手方向軸線Ｌ−Ｌを有し、該長手方向軸線Ｌ−Ｌは、使用中は前記留め具（２）が取り付けられた前記身体部分の長手方向軸線に対応し、前記リンク部材（５）が、前記初期位置では前記長手方向軸線Ｌ−Ｌと実質的に平行に配置され、前記リンク部材（５）が、前記作動位置では前記長手方向軸線Ｌ−Ｌに対してある角度未満に配置されている、請求項１〜５のいずれか一項に記載の着用可能装置。
【請求項７】
当該着用可能装置が、第１のロック部材および第２のロック部材を含むロック要素（３８）を備え、前記第１のロック部材は、前記案内要素（４）がその初期位置に配置されているときに前記第２のロック部材に対向するように前記ベース要素（３）に配置されており、前記第２のロック部材は、前記初期位置における前記第１のロック部材と前記第２のロック部材との係合中に前記移動可能な案内要素（４）と前記リンク部材（５）との部分組立品をロックするように前記部分組立品に配置されている、請求項１〜６のいずれか一項に記載の着用可能装置。
【請求項８】
前記ロック要素（３８）が磁気ロック要素である、請求項７に記載の着用可能装置。
【請求項９】
前記案内要素（４）が、前記フィットネス機器の前記紐を案内するための案内ホイール（４０）を備え、該案内ホイール（４０）が、前記リンク部材（５）との片側連結部を有する、請求項１〜８のいずれか一項に記載の着用可能装置。
【請求項１０】
前記留め具（２）が、巻付けパッド、弾性バンド、布製品およびクリップよりなる群から選択されている、請求項１〜９のいずれか一項に記載の着用可能装置。
【請求項１１】
前記留め具（２）は、該留め具（２）が別個の物品として着用され得るように前記ベース要素（３）に取り外し可能に連結されている、請求項１０に記載の着用可能装置。
【請求項１２】
前記ベース要素（３）が、前記身体部分に対して前記紐を離間させるための、少なくとも２０ｍｍの所定の高さを有する、請求項１〜１１のいずれか一項に記載の着用可能装置。
【請求項１３】
前記着用可能装置が足首バンドである、請求項１〜１２のいずれか一項に記載の着用可能装置。
【請求項１４】
請求項１〜１３のいずれか一項に記載の着用可能装置と組み合わせて着用されるように構成された留め具（２）。
【請求項１５】
当該留め具が、ソックス形状に形作られており、当該留め具（２）が、前記着用可能装置との係合のための突出したパッド形状の部分を備える、請求項１４に記載の留め具（２）。
【請求項１６】
フィットネス運動を行うために紐を備えるフィットネス機器であって、請求項１〜１３のいずれか一項に記載の着用可能装置をさらに備えるフィットネス機器。
【請求項１７】
前記紐を巻き上げるように構成された巻取装置を備える、請求項１６に記載のフィットネス機器。
【考案の詳細な説明】
【技術分野】
【０００１】
本考案は、フィットネス運動を行うための着用可能装置（ｗｅａｒａｂｌｅ  ｄｅｖｉｃｅ）であって、フィットネス機器の紐（ｌｉｎｅ）を案内するように構成された着用可能装置に関する。より詳細には、着用可能装置は、人の上肢または下肢に取り付けられるボディバンドである。特に、着用可能装置は足首バンドである。
【背景技術】
【０００２】
仏国特許第３５８４９４号明細書は、フィットネス運動を行うためのフィットネス機器を開示している。フィットネス機器は、足首バンデージを備える。足首バンデージは、足首バンデージを人の足首に縛り付けるために巻き付けられ得るストラップを備える。足首バンデージは、フィットネス機器の紐を案内するための滑車を含む。紐は、滑車のホイールの周囲に紐を取り付けるために滑車に通される。滑車は、リングによってストラップに連結されている。リングは、任意の方向に移動する自由を滑車に与えており、これにより、滑車は、フィットネス運動中に紐の任意の方向に追従することができるようになっている。
【０００３】
足首バンデージの問題は、足首バンデージが昨今の使用者の要求を満たさないことである。使用者は、自分のフィットネス運動を行うために便利で洗練された器具を求めている。
【考案の概要】
【考案が解決しようとする課題】
【０００４】
本考案の一般的な目的は、上で言及した欠点を少なくとも部分的に取り除くことおよび／または使用可能な代替案を提供することである。より具体的には、本考案の目的は、フィットネス運動を行うための着用可能装置であって、トレーニングのより多くのバリエーションを可能にする、ユーザーフレンドリーな着用可能装置を提供することである。
【課題を解決するための手段】
【０００５】
本考案によれば、この目的は、請求項１に記載の着用可能装置によって達成される。
【０００６】
本考案に係る着用可能装置は、フィットネス機器を使用することによってフィットネス運動を行うために構成される。フィットネス機器は、紐（例えばコード、ケーブル、剛性ストリング、弾性ストリングなど）を備える。着用可能装置は、このような紐を案内するために構成される。特に、本考案は、ボディバンド、とりわけ、足首バンドに関する。本装置は、この装置を人の身体部分に取り付けるための留め具を備える。詳細には、留め具は、パッドを備える。パッドは、布製品（ｃｌｏｔｈ）または人の皮膚に直接着用するのに具合がよい柔らかい材料から作られてもよい内面を有する。本装置は、留め具の外面に連結されるベース要素をさらに備える。本装置は、フィットネス機器の紐を案内するための案内要素をさらに備える。案内要素は、リンク部材によってベース要素に移動可能に連結される。リンク部材は、案内要素とベース要素との間に配置される。案内要素は、フィットネス運動を行うことによって紐を介して力が加えられた場合にベース要素に対して初期位置から作動位置に移動可能である。
【０００７】
本考案に係る着用可能装置は、リンク部材が弾性部材を備える点で改善されている。弾性部材は、リンク部材がその初期位置から離されたときにばね力を発生させる。弾性部材は、加えられている力が減少した場合に案内要素を作動位置から初期位置に戻すように構成される。弾性部材は、弾性部材の軸方向伸長を制限するためのストッパーを備える。
【０００８】
本考案に係る着用可能装置は、案内要素が所定の初期位置を有する点で利点を有する。このことは、フィットネス機器の紐を装置に取り付けるときに好適である。案内要素は、所定の初期位置で安定しており、これにより、紐の容易な連結が可能となる。紐は、片手のみを使用することによって本装置に連結され得る。所定の初期位置は、人の運動中においてさらに好適なものである。例えば、自分の足首に本装置を着用している人のランニング運動中、案内要素は、所定の初期位置に留まることができ、これにより、その人の足の周囲での案内要素の、妨害となる揺動が防止され得る。
【０００９】
本考案に係る着用可能装置の実施形態において、リンク部材および弾性部材は、一体物品として一体化される。弾性部材は、リンク部材に組み込まれてもよい。リンク部材は、可撓性であってもよい。好適には、単純な構成が、リンク部材への弾性部材の組込みによって提供される。
【００１０】
本考案に係る着用可能装置の実施形態において、リンク部材は細長い。リンク部材は、半径方向に屈折可能な細長いスリーブを備えてもよい。好ましくは、スリーブは、プラスチック材料から作られる。スリーブは、ベース要素から案内要素まで延在する。リンク部材は、軸方向の軸線を有する。スリーブの基端は、ベース要素に連結され、スリーブの先端は、案内要素に連結される。屈折可能なスリーブは、リンク部材としての役割を果たし、さらに、組み込まれた弾性部材を有する。スリーブは、完全に中実の本体または管状の中空の本体を備えてもよい。好ましくは、スリーブは、好適にリンク部材の制御された円滑な屈折を可能にする螺旋状本体を備える。
【００１１】
本考案に係る着用可能装置の実施形態において、リンク部材は、ディアボロ（ｄｉａｂｏｌｏ）形状の本体を有する。ディアボロ形状の本体は、寸法に関して狭い中央領域およびより幅の広い端部領域を有する。比較的狭い中央領域は、弾性特性をもたらすリンク部材の横方向の可撓性に寄与し、一方、本体全体は、軸方向において、軸方向における望ましくない伸長を防止するのに十分な程度に強固である。ディアボロ形状の本体は、案内要素をベース要素に連結する一体物品のリンク部材としての役割を果たし、ディアボロ形状のリンク部材は、半径方向の移動を可能にする弾性部材および軸方向の許容できない伸長を防止するストッパーの両方を組み込む。
【００１２】
本考案に係る着用可能装置の代替的な実施形態において、リンク部材および弾性部材は、別個の物品である。リンク部材は、ストッパーとしての役割を果たすリンクバーを備えてもよい。弾性部材は、ばねであってもよい。リンクバーは、案内要素の回転移動を可能にするように揺動可能にベース要素に連結されてもよい。ばねは、リンクバーを初期位置に戻すようにリンクバーに連結されてもよい。
【００１３】
本考案に係る着用可能装置の実施形態において、ストッパーは、一体物品に組み込まれてもよいし、あるいは別個の構成要素として構成されてもよい。ストッパーは、弾性部材が許容できない距離を超えて軸方向に伸長することを防止する移動制限手段である。ストッパーは、弾性部材の軸方向伸長を制限するように構成される。好適には、ストッパーは、フィットネス運動中に加えられる力によって発生する損傷を防止しながら、弾性部材の軽量構成を可能にする。
【００１４】
本考案に係る着用可能装置の実施形態において、ストッパーは、弾性部材と平行に配置される。好ましくは、ストッパーは、弾性部材の中心線に沿って配置される。ストッパーは、弾性部材の貫通孔の内部に配置されてもよい。好ましくは、ストッパーは、弾性部材と共に曲がるように半径方向の可撓性を有するが、軸方向の許容できない伸長を防止するワイヤ要素（１本のコードのような）である。ワイヤ要素は、ベース要素に対する案内要素の移動を制限するために案内要素とベース要素との間に連結されてもよい。
【００１５】
本考案に係る着用可能装置の実施形態において、着用可能装置の留め具は、長手方向軸線Ｌ−Ｌを有し、長手方向軸線Ｌ−Ｌは、使用中は人の身体部分の長手方向軸線に対応する。リンク部材は、初期位置において好ましくは長手方向軸線Ｌ−Ｌと実質的に平行に配置される。「実質的に」は、長手方向軸線に対して約５°から１０°の、全くの平行からの不足は許容できることを意味する。この配置において、リンク部材は、初期位置において人の上肢または下肢の軸方向の軸線に揃えられる。リンク部材は、留め具の下部領域から上部領域への方向に延在する。足首バンドとして構成された着用可能装置の場合、この初期位置は、足首バンドを着用した人が立った姿勢のときの垂直方向に対応する。案内要素は、初期位置から作動位置に移動可能である。特に、作動位置は、案内要素が長手方向軸線Ｌ−Ｌから外れた後に到達される。作動位置では、案内要素およびリンク部材の軸方向の軸線は、長手方向軸線Ｌ−Ｌに対してある角度未満に配置される。特に、リンク部材の底部および上部を通る中心軸線と長手方向軸線Ｌ−Ｌとの間の鋭角は、少なくとも１５°、特に、少なくとも３０°、とりわけ、少なくとも４５°である。このような配置は、着用可能装置が足首バンドとして人の足首に取り付けられ、フィットネス機器の紐が運動中に人の臀部から足首を経由して手まで延在する状況において特に好適である。この配置において、紐は、案内要素およびリンク部材に沿って円滑に滑ることができる。リンク部材は、フィットネス運動中に発生する力を円滑に相殺し得るサスペンションを形成してもよい。
【００１６】
本考案に係る着用可能装置の実施形態において、本装置は、案内要素をその初期位置にロックするためのロック要素を備える。ロック要素は、第１のロック部材および第２のロック部材を備える。第１のロック部材は、案内要素がその初期位置に配置されているときにリンク部材または案内要素の第２のロック部材と係合するように移動可能な案内要素に対向してベース要素に配置される。好適には、ロック要素は、懸架された案内要素の、妨害となる揺動を防止するために運動の間中、案内要素をその初期位置に保持する。
【００１７】
本考案に係る着用可能装置の実施形態において、ロック要素は、磁気ロック要素を備える。磁気ロック要素は、案内要素が保持され得る磁気領域を形成する磁界を発生させて、案内要素を安定した位置に保つ。好適には、１組の溝およびレールまたは１組の凹部および相補的な高さを含む機械ロック要素に比べて、このような磁気ロック要素は、案内要素を保持するより大きな領域を提供する。
【００１８】
本考案に係る着用可能装置の実施形態において、案内要素は、案内部材、特に、紐を案内するための案内ホイールを備える。好適には、案内ホイールは、フィットネス機器の紐の円滑な案内を実現する。案内ホイールは、フィットネス機器の紐を案内するための周囲の滑り面を有する。周囲の滑り面は、好ましくは、紐を囲むための窪んだ滑りトラックを有する。好ましくは、案内ホイールは、紐が案内ホイールから滑落することを防止するホイールフランジを備える。
【００１９】
本考案に係る着用可能装置の実施形態において、案内要素は、ホルダを備える。片側連結部は、案内部材をホルダに連結するために設けられる。案内部材は、片側連結部によってホルダに連結される。好ましくは、ホルダは、Ｌ字形状に形作られる。案内部材は、片側サスペンションを有する。詳細には、案内ホイールは、一方のフランジ面のみにおいてホルダに連結される。一方、案内ホイールの反対側のフランジ面には、連結部品がなく、これにより、フィットネス機器の紐を受け入れるために接近することが可能である。好適には、使用者は、案内部材への／からのフィットネス機器の紐の連結／分離を頻繁に容易に行うことができる。好適には、使用者は、非常に効率的かつ秩序だった仕方で、着用可能装置を含むフィットネス機器を片づけることができる。特に、フィットネス機器が紐を巻き上げるように構成された巻取装置を備える場合、設備全体を迅速に片づけるために紐が着用可能装置から迅速に分離され得ることは好適である。
【００２０】
案内ホイールのフランジにおける片側連結部に関するこの態様は、フィットネス機器を使用することによってフィットネス運動を行うための着用可能装置の実施形態であって、本装置が、該装置を人の身体部分に取り付けるための留め具と、留め具に連結されたベース要素と、フィットネス機器の紐を案内するための案内部材を含む案内要素とを備え、案内部材が、第１のホイールフランジおよび第２のホイールフランジを含む案内ホイールであり、案内ホイールが、ホルダとの片側連結部を有し、案内ホイールが、第１のホイールフランジにおいてホルダに連結されている一方で、第２のホイールフランジは、フィットネス機器の紐を受け入れるために接近可能なままになっている実施形態をもたらし、それ自体で特許可能であると考えられることが注目される。好適には、紐は、着用可能装置に対して迅速に頻繁に連結され、分離され得る。
【００２１】
本考案に係る着用可能装置の実施形態において、案内要素は、キャップを備える。キャップは、片側連結部とは反対側の面で案内部材に連結される。キャップは、案内部材の自由面に連結される。キャップは、外郭部に突出指を備える。突出指は、案内部材の外郭部を越えて延在する。突出指は、フィットネス機器の紐を引っ掛けるために配置される。突出指は、好適には、案内部材からの紐の望ましくない早すぎる分離を防止することができる。
【００２２】
本考案によれば、留め具は、広い意味で解釈されるべきである。留め具は、着用可能装置を人の身体部分に取り付ける役割を果たす。本考案に係る着用可能装置の実施形態において、留め具は、巻付けパッドである。巻付けパッドは、パッドを身体部分に留めるために少なくとも１つのベルトを備える。
【００２３】
本考案に係る着用可能装置の代替的な実施形態において、留め具は、弾性バンドである。弾性バンドは、周方向に閉じられていてもよい。弾性バンドを伸ばすことによって、着用可能装置は、人の身体部分に取り付けられてもよい。
【００２４】
本考案に係る着用可能装置の代替的な実施形態において、留め具は、布製品である。留め具は、グローブ、ソックス、またはシューズとして形作られてもよい。
【００２５】
さらに、本考案は、ベース要素が取り外し可能に留め具に連結される着用可能装置に関する。留め具は、別個の物品として着用されてもよい。着用可能装置は、留め具へのベース要素のスナップフィット連結部を備えてもよい。
【００２６】
さらに、本考案は、本考案に係る着用可能装置と組み合わせて着用されるように構成された留め具（特に、ソックスなど）それ自体に関する。留め具は、着用可能装置とは別に身体部分に着用可能である。留め具は、第１のステップにおいて身に着けられ、着用可能装置は、次のステップにおいて、組み立てられた状態の着用可能装置を得るために留め具に取り付けられてもよい。留め具は、着用可能装置への取付けのために構成された取付部分を有する。着用可能装置を留め具に取り付けた後、取付部分は、着用可能装置と係合する。好ましくは、留め具は、パッド形状の取付部分を有する。パッド形状の部分は突出している。パッド形状の取付部分は、残りの部分の厚さよりも大きな厚さを有する。着用可能装置が、足首バンドを備える場合、パッド形状の取付部分は、人の足首にフィットするように構成される。特に、取付部分は、柔らかい領域を含む。柔らかい領域は、身体部分、特に、足首領域への結合圧力を低減するために留め具の内面に設けられる。
【００２７】
本考案に係る留め具の実施形態において、留め具は、１組の左の留め具および右の留め具を備える。左の留め具は、右の留め具と鏡面対象に構成される。
【００２８】
本考案に係る留め具の実施形態において、留め具は、スリーブ形状に形作られる。詳細には、留め具は、人の足の周囲にフィットするように構成される。好ましくは、留め具は、ソックス形状に形作られる。ソックス形状の留め具は、開放された爪先端部および／または開放された踵端部を有してもよい。
【００２９】
本考案に係る着用可能装置の代替的な実施形態において、留め具は、着用可能装置を布製品（例えば、人のシューズ）にクリップピングするためのクリップであってもよい。
【００３０】
本考案に係る着用可能装置の実施形態において、ベース要素は、少なくとも２０ｍｍ、特に、少なくとも２５ｍｍ、好ましくは、少なくとも３０ｍｍの、留め具の内面と案内部材の中心との間の距離を埋める。好適には、フィットネス機器の使用中、このような距離は、人の身体部分から紐を離間させ、これにより、運動中の人の身体への紐の接触を防止することできる。試験は、紐および身体部分の接触が少なくとも２５ｍｍから大きく低減され得ることを明らかにしている。
【００３１】
また、本考案は、請求項１６に記載のフィットネス機器に関する。
【００３２】
さらに好ましい実施形態は、従属請求項において規定されている。
【００３３】
本考案は、添付図面を参照してより詳細に説明される。図面は、本考案に係る実際の実施形態を示しているが、これは、本考案の範囲を限定するものとして解釈されてはならない。また、特定の特徴は、図示の実施形態から切り離して考えられてもよく、図示の実施形態に関するだけでなく、添付の実用新案登録請求の範囲に含まれるすべての実施形態にとって共通の特徴として、より広い文脈において限定的な特徴として考慮されてもよい。
【図面の簡単な説明】
【００３４】
【図１Ａ】本考案に係る着用可能装置の実施形態の斜視図を示している。
【図１Ｂ】図１Ａの着用可能装置の正面図を示している。
【図１Ｃ】図１Ａの着用可能装置の側面図を示している。
【図１Ｄ】図１Ａの着用可能装置の上面図を示している。
【図１Ｅ】図１Ａの着用可能装置の断面図を示している。
【図１Ｆ】リンク部材がディアボロ形状を有する着用可能装置の実施形態の斜視図を示している。
【図１Ｇ】本考案に係る着用可能装置の代替的な実施形態の斜視図を示している。
【図１Ｈ】図１Ｇの着用可能装置の断面図を示している。
【図１Ｉ】人の足に取り付けられた着用可能装置の斜視図を示している。
【図２Ａ】装置を足首に取り付けるためのソックスを含む着用可能装置の斜視図を示している。
【図２Ｂ】別個の物品として履かれているソックスの斜視図を示している。
【図２Ｃ】着用可能装置の一体化された物品として図２Ａのソックスを示している。
【考案を実施するための形態】
【００３５】
図１Ａは、本考案に係る着用可能装置（特に、ボディバンド１）の実施形態の斜視図を示している。ボディバンド１は、図１Ｂ〜図１Ｅのそれぞれの正面図、側面図、上面図、および断面図においてさらに示されている。同じ参照符号は、ボディバンドの対応する構成要素を示している。本明細書および実用新案登録請求の範囲の理解を助けるために、垂直、水平、長手方向、断面という語（重力および図面に示されている座標系Ｐ、Ｑ、Ｒを基準とした）は、非限定的な仕方で使用されている。
【００３６】
ボディバンドは、人の身体部分に着用されるように構成されている。ボディバンドは、人の下肢または上肢（特に、手首、肘、膝、または足首）に配置されてもよい。ボディバンドは、身体部分へのボディバンドの取付けを柔らかくする内面を含むパッド２を有する。パッドは、閉じた弾性バンドであってもよいし、あるいは図２に示されているようにソックスとして形作られてもよい。図示のパッド２は、少なくとも１本の締めベルト２１によって締めることができる巻付けパッドである。締めベルト２１は、パッド２に連結されている。締めベルト２１は、パッド２に縫い付けられている。締めベルト２１は、ベルトの外面に取り付けられている。１組のベルト２１は、身体部分の周囲にパッドを巻き付けて締めるために設けられている。
【００３７】
図示のボディバンドは、足首バンドとして構成されている。足首バンドは、足ベルト２２をさらに有する。足ベルト２２は、人の踵に取り付けられるように構成されている。足ベルト２２は、足首バンドのパッド２の下側に延在する。足ベルト２２は、締めベルト２１に対して横方向に延在する。足ベルト２２は、人の踵に取り付けられ得る、ループ形状のベルトである。人は、自分の踵を足首ベルトの足ベルトの中に入れることができる。着用可能装置は、長手方向軸線Ｌ−Ｌを有する。着用可能装置の長手方向軸線Ｌ−Ｌは、使用中は人の四肢（特に、下肢）の中心軸線と平行な方向に伸びる。足ベルト２２は、足首バンドが、長手方向の力が足首バンドに加わった場合に長手方向軸線Ｌ−Ｌに沿って上方にずれることを防止する。さらに、足ベルト２２は、使用中の締めベルト２１のそれほどきつくない連結を可能にし、これにより、足首バンドの快適性を向上させている。
【００３８】
足首バンド１は、ベース要素３をさらに備える。ベース要素３は、剛性部品である。ベース要素は、パッド２に連結された背面を有する。ベース要素３は、パッド２の外面に連結されている。ベース要素３は、射出成形された物品である。ベース要素３は、実質的にブロック形状のベース本体３０を有する。ベース要素３は、案内要素４を連結するための支持部３１を正面に備える。支持部３１は、ベース本体３０から突出している。支持部３１は、ベース本体３０の下部領域に配置されている。支持部３１は、リンク部材５を配置するための円筒形の突起３１１を有する。
【００３９】
足首バンドは、案内要素４をさらに備える。案内要素４は、フィットネス機器の紐を案内するための案内ホイール４０を含む。案内ホイールは、紐を案内するための、周囲の滑り面を有する。紐は、案内ホイール４０の接近可能な側から滑り面の周囲に配置されてもよい。片側のみにおいて、案内ホイールは、案内要素のホルダ４２に連結されている。ホルダ４２は、Ｌ字形状に形作られており、起立脚部およびベース脚部を含む。ホルダ４２は、案内ホイール４０のジャーナルとなる円筒形の突起４４を起立脚部に有する。案内ホイール４０は、ホルダ４２の起立脚部との片側連結部を有する。片側連結部は、フィットネス機器の紐を頻繁に迅速に配置するために着用可能装置の正面から案内ホイールに接近することを可能にする。片側連結部の反対側に、案内ホイール４０は、キャップ４１を備える。キャップ４１は、案内ホイール４０の側面を覆っている。キャップ４１は、足首バンドの長手方向Ｌ−Ｌにおいて特に下方に延在する突出指４１０を有する。突出指４１０は、案内ホイール４０の半径方向に延在する。突出指４１０は、紐の配置を助けるために、また紐が案内ホイールから脱落することを防止する目的で、紐が配置された後に案内ホイール４０とホルダ４２のベース脚部との間の空間を制限するために設けられている。
【００４０】
案内要素４は、リンク部材５によってベース要素３に連結されている。リンク部材５は、案内要素４が初期位置から離れることを可能にする。リンク部材５は、案内要素４が少なくとも２つの回転自由度で移動することを可能にする。リンク部材５は、案内要素４が、フィットネス機器の紐によって案内要素４に力が加えられた場合に初期位置から作動位置に移動することを可能にする。初期位置は、長手方向軸線Ｌ−Ｌと実質的に平行である。作動位置は、長手方向軸線Ｌ−Ｌから外れた位置である。リンク部材５は、リンク部材５を初期位置に戻す弾性部材を備える。
【００４１】
リンク部材５は、ベース要素３からある距離を置いて案内要素４を連結するためにストッパーとして剛性本体を含んでもよく、この場合、リンク部材は、弾性部材５１として別個のばねをさらに備える。剛性本体は、ベース要素３に揺動可能に連結されるバーとして構成されてもよく、この場合、別個のばねは、剛性本体を初期位置に動かすようにばね力を加える。
【００４２】
図１Ｅの図示の実施形態において、リンク部材５は、可撓性であり、弾性部材５１を組み込んでいる。リンク部材５および弾性部材５１は、一体物品として一体化されている。弾性部材５１は、スリーブ形状に形作られている。弾性部材５１は、細長い本体を有する。特に、細長い本体は、中空である。細長い本体は、軸方向の軸線を有する。弾性部材５１の軸方向の軸線は、初期位置では着用可能装置の長手方向軸線Ｌ−Ｌと実質的に平行に配置される。図１Ｅにおいて、弾性部材５１は、弾性の螺旋状本体を有する。螺旋状本体は、互いに対して圧縮可能な複数の巻部を備える。中実本体に比べて、螺旋状本体は、弾性部材をより曲げることのできるものにする。図１Ｆにおいて、リンク部材５は、一体化された弾性部材５１および一体化されたストッパー５２を備える。リンク部材は、ディアボロ形状の本体を備える。ディアボロ形状の本体は細長くなっている。ディアボロ形状の本体は、ベース要素３の支持部３１に連結された第１の端部および案内要素４のホルダ４２に連結された第２の端部を有する。ディアボロ形状の本体は、横方向の半径方向への可撓性を実現する、端部と比べて比較的細い中央領域を有する。このようにして、弾性部材５１は、リンク部材５に組み込まれている。ディアボロ形状の本体は、軸方向における案内要素４の許容できない移動を防止する、長手方向の剛性を有する。このようにして、ストッパー５２は、ディアボロ形状の本体に組み込まれている。したがって、リンク部材５は、弾性部材５１およびストッパー５２の両方ならびに一体物品を組み込んでいる。
【００４３】
図１Ｅに示されているような着用可能装置の実施形態において、リンク部材５は、別個の物品としてストッパー（さらに図１Ｈに示されている）を備える。ストッパーは、リンク部材に加わる軸方向の力を相殺する。ストッパーは、許容できない大きな軸方向の力によって発生する、弾性部材５１への損傷を防止することができる。ストッパーは、可撓性要素（特に、コードなどのワイヤ要素）である。ここでは、ストッパーは、リンク部材５の中心軸線上に取り付け可能である。弾性部材５１は、ストッパーのための通路として中央貫通孔を有する。ストッパーの第１の端部は、支持部３１を介してクランプ連結部３７によってベース要素３に連結されており、ストッパーの第２の端部は、案内要素４のホルダ４２に連結されている。ストッパーの第２の端部は、形態拘束部（ｆｏｒｍ  ｃｌｏｓｕｒｅ）によってホルダ４２のベース脚部に連結されている。クランプ連結部３７は、ベース要素３の中央領域に配置されている。あるいは、図１Ｅに示されているように、クランプ連結部は、ベース要素の支持部３１に配置されてもよい。
【００４４】
図１Ｅは、図１Ｄに示されている切断線Ａ−Ａにおける足首バンドの断面図を示している。図１Ｅの断面図に示されているように、ベース本体３０は、所定の初期位置に案内要素４をロックするためのロック要素３８を備える。ロック要素３８は、案内要素４に対向して配置されている。特に、ロック要素３８は、案内要素４の回転軸線に位置合わせされている。ロック要素３８は、第１のロック部材および第２のロック部材を有する。特に、ロック要素３８は、第１の磁気ロック部材および第２の磁気ロック部材を有する。初期位置において、第１の磁気部材は、第２の磁気部材に対向して配置されており、第２の磁気部材は、ベース要素３に対して案内要素を配置して保持するために案内要素４に連結されている。初期位置において、第１の磁気部材は、第２の磁気部材に位置合わせされている。第１の磁気部材は、ベース要素３に取り付けられた磁石片である。第２の磁気部材４３は、ここではねじ４２３である。ねじ４２３は、案内ホイールの中心軸線に配置されている。ねじ４２３は、案内ホイール４０を軸方向に取り付けるようにキャップ４１に連結されている。
【００４５】
図１Ｇは、一部の態様に適合された、本考案に係る着用可能装置の実施形態の斜視図を示している。図１Ｈは、図１Ｇの着用可能装置の断面図を示している。
【００４６】
着用可能装置は、パッドを備える留め具２を有する。パッドは、図１Ａに示されているように構成されており、足ベルト２２を含む。パッドは、少なくとも１つの貫通孔２３をさらに備える。少なくとも１つの貫通孔２３は、パッドの外縁の近傍に配置されている。少なくとも１つの貫通孔は、パッドの下部領域に配置されている。少なくとも１つの貫通孔は、パッドを別の着用可能部品に連結する役割を果たす。少なくとも１つの貫通孔は、パッドを使用者のシューズに連結するために使用されてもよい。シューズの紐が、パッドをシューズに連結するために少なくとも１つの貫通孔に通されてもよい。これにより、パッドが使用者の脚に沿ってずれることがさらに防止され得る。少なくとも１つの貫通孔２３が、足ベルト２２の代わりを務めてもよい。
【００４７】
着用可能装置は、パッド２に連結されたベース要素３を有する。ベース要素３は、ベース本体３０を有する。ベース本体３０は、ブロック形状に形作られている。ベース本体の背面は、パッド２に連結されている。ベース本体３０は、ベース要素３の所定の高さを有する左側面および右側面を有する。これにより、ベース要素３は、案内される紐が使用者の身体部分に接触することを防止するためにパッド２の内面から少なくとも２０ｍｍの所定の距離だけ案内要素４を離間している。さらに、左側面および右側面は、提示側面を形成するのに十分に大きな面積を含む。提示側面は、情報を提示することに適している。この場合、提示側面には、「ＤＩＳＱ」という商標名のラベルが付けられている。
【００４８】
正面に、ベース本体３０は、支持部３１を備える。支持部は、リンク部材５および案内要素４を支持するように構成されている。案内要素４は、リンク部材５によって支持部３１に連結されている。リンク部材５は、弾性的に曲げることができ、弾性部材５１を組み込んでいる。リンク部材５は、ピン−孔連結（ｐｉｎ−ｈｏｌｅ  ｃｏｎｎｅｃｔｉｏｎ）によって支持部３１に連結されている。リンク部材５の突起は、支持部３１の孔の中に受け入れられるピンを形成している。リンク部材５は、ベース要素３からのリンク部材５の分離を防止するストッパー５２を備える。ストッパー５２は、リンク部材５が曲がって屈折することを許可するが、リンク部材５がその長手方向軸線においてベース要素３に対して変位することを禁止している。
【００４９】
ストッパー５２は、ワイヤ要素である。ここでは、ストッパーは、１本のコードである。ストッパー５２は、一方の端部ではクランプ連結部によって連結され、第２の端部では、単純で信頼できる一端部アセンブリを可能にする形態拘束部によって連結されている。ここでは、ストッパー５２は、ベース要素３に連結された第１の端部を有する。ストッパー５２の第１の端部は、クランプ連結部３７によってベース要素３にクランプ固定されている。クランプ連結部３７は、ベース本体３０の内部空間の内側に配置されている。ストッパー５２は、ベース要素３からリンク部材５の案内通路５１１を通って延在する。ここでは、ストッパー５２はさらに、案内要素４をリンク部材５に連結している。ストッパー５２は、第２の端部において案内要素４のホルダ４２に連結されている。リンク部材５は、ストッパー５２によって案内要素４とベース要素３との間に保持される。ホルダ４２は、ストッパー５２を案内するための通路４２１を有する。通路は、案内要素４およびリンク部材５の部分組立品の中にあり、リンク部材５の案内通路５１１に位置合わせされている。ストッパー５２の第２の端部は、形態拘束部によって案内要素４に連結されている。形態拘束部は、第２の端部が、ホルダ４２の通路の狭い部分に当接係合する厚い部分５２１を含むことで設けられている。狭い部分は、通路において厚い部分を阻んでいる。このようにして、案内要素４、リンク部材５、およびベース要素３は、ストッパー５２によって単純な方法で互いに連結されている。
【００５０】
図１Ｉは、人の足首に取り付けられた着用可能装置１の斜視図を示している。着用可能装置１は、着用可能装置１を留めるためにパッド形状の留め具２を備える。２つの締めベルト２１は、着用可能装置１を留めるために足首の周囲に巻き付けられてもよい。着用可能装置１は、人の足の下に延在する足ベルト２２を有する。足ベルト２２は、ストリップ形状に形作られている。シューズを履く場合、着用可能装置１は、留め具２に設けられた貫通孔２３に紐を通して留めることによってシューズに連結されてもよい。
【００５１】
図２Ａは、本考案に係る着用可能装置と組み合わせて使用するソックス２８の斜視図を示している。ソックスは、人の足首への着用可能装置１の快適な取付けを実現するように構成されている。着用可能装置１は、ベース要素３に連結された巻付けパッド２を含む足首バンド構成を有する。留め具２のアセンブリは、ソックス２８および着用可能装置の巻付けパッド２を含む。ソックス２８は、ベース要素３から取り外し可能であり、図２Ｂに示されているように別個の物品として履かれ得る。巻付けパッド２は、ソックス２８に対するベルクロ（Ｖｅｌｃｒｏ（登録商標））またはスナップ式連結部を有してもよい。
【００５２】
ソックス２８は、着用可能装置のパッドに係合するようにソックスの外側の、足首の高さに配置された厚いパッド形状の部分２９を有する。パッド形状の部分２９は、ソックス２８の残りの部分から突出している。ソックス２８のパッド形状の部分２９は、着用可能装置に係合するように構成されている。パッド形状の部分は、より多くの快適さに寄与する。特に、パッド形状の部分２９は、着用可能装置１の高さ寸法に実質的に対応する高さ寸法（ソックスの長手方向Ｌ−Ｌにおいて確かめられる）を含むサイズを有する。「実質的に」は、パッド形状の部分２９の高さ寸法が、着用可能装置１の巻付けパッド２の高さ寸法に比べて最大で１ｃｍ、特に、０．５ｃｍ大きいことを意味している。
【００５３】
１組のソックスの実施形態において、１組のソックスは、左足に履く左ソックスおよび右足に履く右ソックスを含む。１組のソックスの好ましい実施形態において、左ソックスおよび右ソックスは、両方のソックスがソックスの内側および外側の、足首の高さに第１のパッド形状の部分および第２のパッド形状の部分を備える点で同じ構成を有する。代替的な実施形態において、パッド形状の部分２９は、バンド構成を有する。バンドは、ソックスの足首領域全体の周囲に延在する。図２Ａにおいて、巻付けパッド２に連結された足ベルト２２は、ソックスにまたがって延在する。足ベルト２２は、ソックス２８の足部分にまたがって延在する。
【００５４】
図２Ｃは、足ベルト２２がソックス２８の下部領域に組み込まれている留め具２の実施形態の斜視図を示している。組み込まれた足ベルト２２は、フィットネス運動中に発生する力を相殺する、ソックスの強化領域である。強化領域を含むソックス２８は、身体部分の長手方向Ｌ−Ｌに発生する力を相殺するように構成されている。着用可能装置１は、ソックス２８に固定連結されている。着用可能装置１は、ソックス２９に縫い付けられている。着用可能装置１は、人の足への着用可能装置１の固定具を強化するために巻付けパッド２を備える。図２Ｃに示されているように、ソックス２８は、開放された爪先領域および開放された踵領域を有する。
【００５５】
図示の実施形態に加えて、多数の変形形態が可能である。ボディバンドのパッドは、ストリップ形状の巻付けパッドとして示されている。しかしながら、ソックスもしくはシューズのような布製品、シューズクリップ、または閉じた周囲バンドの形態のパッドもまた、添付の実用新案登録請求の範囲に含まれることが明示的に表明される。前記ボディバンド、特に、前記パッドは、身体部分に装置を着用するための取付け手段として広い意味で解釈されるべきである。
【００５６】
本考案について、特定の実施形態を参照して開示してきたが、本明細書を読むことによって、当業者は、上で説明された、以下で特許請求される本考案の範囲から逸脱しない、技術的観点から可能であり得る変更または修正を理解することができる。修正は、本考案の本質的な範囲から逸脱することなく特定の状況または材料を本考案の教示に適合させるために行われてもよい。本考案の範囲から逸脱することなく様々な変更が行われてもよいことおよび均等物がその要素の代わりに用いられてもよいことが、当業者によって理解されるであろう。したがって、本考案は、上記の詳細な説明に開示されている特定の実施形態に限定されず、本考案は、添付の実用新案登録請求の範囲に含まれるあらゆる実施形態を含むことが意図されている。
【００５７】
以上のように、本考案は、フィットネス運動を行うためのフィットネス機器の紐を案内するための着用可能装置であって、案内要素を作動位置から初期位置に戻すために弾性部材を備える着用可能装置を提供する。これは、着用可能装置からのフィットネス機器の紐の迅速な片手での取外しを可能にするため好適である。さらに、案内要素が運動中に安定した位置に留まることは好適である。自由に揺動する案内要素によって発生する妨害が最小限に抑えられる。
【図１Ａ】
0003203122.tif 000003
【図１Ｂ】
0003203122.tif 000004
【図１Ｃ】
0003203122.tif 000005
【図１Ｄ】
0003203122.tif 000006
【図１Ｅ】
0003203122.tif 000007
【図１Ｆ】
0003203122.tif 000008
【図１Ｇ】
0003203122.tif 000009
【図１Ｈ】
0003203122.tif 000010
【図１Ｉ】
0003203122.tif 000011
【図２Ａ】
0003203122.tif 000012
【図２Ｂ】
0003203122.tif 000013
【図２Ｃ】
0003203122.tif 000014
【手続補正書】
【提出日】平成27年10月22日(2015.10.22)
【手続補正１】
【補正対象書類名】明細書
【補正対象項目名】０００３
【補正方法】変更
【補正の内容】
【０００３】
足首バンデージの問題は、足首バンデージが昨今の使用者の要求を満たさないことである。使用者は、自分のフィットネス運動を行うために便利で洗練された器具を求めている。
米国特許第３１６２４４１号明細書は、フィットネス運動を行うためのハーネスを開示している。このハーネスは、紐を案内するためのばね付き滑車を含むフィットネス機器を備えている。フィットネス機器のそのばねは、トレーニング中に抵抗を与えるよう長さ方向に伸長され得る。ハーネスは、滑車を備えたあぶみと組み合わせて用いられ得るものであり、そのあぶみは、使用者の足に沿ってフィットネス機器からの紐を案内するために使用者の足に適合されているというものである。